(57)【特許請求の範囲】
【請求項１】
紙幣入出金部に投入された紙幣を搬送路に繰出す分離繰出手段と、
顧客に払出す紙幣を前記紙幣入出金部に集積させる集積舌片ローラと、
対向配置されて前記分離繰出手段と前記集積舌片ローラとの間を往復移動する紙幣ガイド部およびビルプレスとを備えた紙幣入出金機であり、
前記ビルプレスは、紙幣と対向する支持面と、該支持面よりも上部で紙幣から離れる方向に傾斜した傾斜面からなるくの字形状とし、
前記紙幣入出金部に紙幣を集積するとき、前記集積舌片ローラ側に移動した前記ビルプレスの前記支持面が傾斜し、進入してくる紙幣を前記支持面に沿って前記紙幣ガイド部側に案内するように、前記ビルプレスを回動させる回動手段を設けたことを特徴とする紙幣入出金機。
【請求項２】
請求項１に記載の紙幣入出金機において、
前記回動手段は、前記ビルプレスの側方に形成されたスライド溝と、前記スライド溝にスライド可能に嵌入するピンとを有することを特徴とする紙幣入出金機。
【請求項３】
紙幣入出金部に投入された紙幣を搬送路に繰出す分離繰出手段と、
顧客に払出す紙幣を前記紙幣入出金部に集積させる集積舌片ローラと、
対向配置されて前記分離繰出手段と前記集積舌片ローラとの間を往復移動する紙幣ガイド部およびビルプレスとを備えた紙幣入出金機であり、
前記ビルプレスは、紙幣と対向する支持面と、該支持面よりも上部で紙幣から離れる方向に傾斜した傾斜面からなるくの字形状とし、
前記紙幣入出金部に紙幣を集積するとき、前記集積舌片ローラ側に移動した前記ビルプレスの前記支持面が傾斜して紙幣を前記紙幣ガイド部側に案内するように、前記ビルプレスを回動させる回動手段を設け、
前記ビルプレスは、側面に移動方向に沿って２つ並べたピンを有し、
前記ビルプレスの側方に前記ピンがスライド可能に嵌まるスライド溝を有し、該スライド溝の前記集積舌片ローラ側の一端に前記集積舌片ローラから離れる方向に傾斜した曲折部を設けてその曲折部を前記回動手段とし、
顧客に払出す紙幣を前記紙幣入出金部に集積するとき、前記集積舌片ローラ側の前記ピンが前記曲折部に入ることで、前記支持面が前記集積舌片ローラ側に傾斜するように前記ビルプレスが回動することを特徴とする紙幣入出金機。
【請求項４】
請求項３に記載の紙幣入出金機において、
前記２つのピンの内、顧客に紙幣を払出す際の前記集積舌片ローラ側となるピンの停止位置に、該ピンが前記紙幣入出金部の底板から離れる方向に逃げる逃げ部を前記スライド溝に形成し、
前記支持面を押圧して前記ビルプレスを回動させる押圧手段と、前記紙幣入出金部に集積した紙幣を上昇させる上昇部とを配し、
前記紙幣入出金部に集積した紙幣を払出すとき、前記上昇部によって集積している紙幣を上昇させ、その際、前記集積舌片ローラ側の前記ピンが前記逃げ部に逃げるように前記押圧手段により、前記支持面を押圧することで前記ビルプレスを回動させて前記傾斜面を前記紙幣ガイド部と平行に対向させることを特徴とする紙幣入出金機。
【発明の詳細な説明】
【技術分野】
【０００１】
本発明は、自動取引装置に設けられ、紙幣の入出金のための処理を行う紙幣入出金機に関する。
【背景技術】
【０００２】
従来の紙幣入出金機は、投入された紙幣を立位の状態で集積しており、集積された紙幣を支持板の直交方向に繰出すピックアップローラと、ピックアップローラ側にピックアップローラによる紙幣の繰出方向の直交方向に往復移動可能に設けられた第１のビルプレスと、第１のビルプレスを挟んでピックアップローラの反対側に、第１のビルプレスと対向して繰出方向の直交方向に往復移動可能に配置された第２のビルプレスと、第１と第２のビルプレスの間に出没可能に配置されたリジェクト紙幣を集積する集積舌片ローラ部とを備え、リジェクトビルストッパと第２のビルプレスとの間に集積したリジェクト紙幣を顧客が取り忘れた場合に、紙幣を集積している底板からリジェクトビルストッパを退避させ、第２のビルプレスを第１のビルプレスの方向に移動させることで、第１のビルプレスが９０度回転して水平状態となり、その第１のビルプレスの上を第２のビルプレスとリジェクト紙幣とが通過し、第２のビルプレスでリジェクト紙幣をピックアップローラに押しつけ、ピックアップローラの回転によってリジェクト紙幣を取り込んでいる（例えば、特許文献１参照。）。
【先行技術文献】
【特許文献】
【０００３】
【特許文献１】特開平０９−１４７１９３号公報（段落「００３８」−段落「００３０」、段落「００４２」−段落「００４４」、図３）
【発明の開示】
【発明が解決しようとする課題】
【０００４】
しかしながら、上述した従来の技術においては、紙幣入出金部に集積されたリジェクト紙幣を繰出すため、第１のビルプレスの可倒機構やリジェクトビルストッパの退避機構等を設ける必要があり、紙幣入出金部の構成が複雑になる。
【０００５】
また９０度回転して水平状態となった第１のビルプレスの上を第２のビルプレスに押されてリジェクト紙幣が通過する際にリジェクト紙幣が倒れてしまう場合があり、リジェクト紙幣の繰出し不良の要因になってしまうという問題がある。
【０００６】
本発明は、上記の問題点を解決するための手段を提供することを目的とする。
【課題を解決するための手段】
【０００７】
本発明は、上記課題を解決するために、紙幣入出金部に投入された紙幣を搬送路に繰出す分離繰出手段と、顧客に払出す紙幣を前記紙幣入出金部に集積させる集積舌片ローラと、対向配置されて前記分離繰出手段と前記集積舌片ローラとの間を往復移動する紙幣ガイド部およびビルプレスとを備えた紙幣入出金機であり、前記ビルプレスは、紙幣と対向する支持面と、該支持面よりも上部で紙幣から離れる方向に傾斜した傾斜面からなるくの字形状とし、前記紙幣入出金部に紙幣を集積するとき、前記集積舌片ローラ側に移動した前記ビルプレスの前記支持面が傾斜し、進入してくる紙幣を前記支持面に沿って前記紙幣ガイド部側に案内するように、前記ビルプレスを回動させる回動手段を設けたことを特徴とする。
【発明の効果】
【０００８】
これにより、本発明は、紙幣を安定して集積させた状態で顧客に払出すことができ、より構造を簡素化してコストを低減できるという効果が得られる。
【図面の簡単な説明】
【０００９】
【図１】実施例１の自動取引装置を示す外観図
【図２】紙幣取扱部の概略構成を示す説明図
【図３】ビルプレスを示す説明図
【図４】フレームに設けた移動ガイドを示す説明図
【図５】移動するビルプレスの様子を示す説明図
【図６】紙幣の繰出動作を行う紙幣入出金部を示す説明図
【図７】紙幣を繰出している様子を示す説明図
【図８】顧客に払出す紙幣を集積する際の紙幣入出金部を示す説明図
【図９】顧客に払出す紙幣を集積している様子を示す説明図
【図１０】顧客に紙幣を払出すためにシャッタを開放した様子を示す説明図
【図１１】実施例２の紙幣上昇部を示す斜視図
【図１２】実施例２のスライド溝の形状を示す説明図
【図１３】実施例２の紙幣を払出す紙幣入出金部を示す説明図
【発明を実施するための最良の形態】
【００１０】
以下に、図面を参照して本発明による紙幣入出金機の実施例について説明する。
【実施例１】
【００１１】
図１は実施例１の自動取引装置を示す外観図である。
【００１２】
図１において、１は銀行等の金融機関の営業店やコンビニエンスストア等に設置される紙幣入出金機としての自動取引装置で、金融機関のセンタに設けられたホストコンピュータ等と通信回線を介して接続されている。
【００１３】
この自動取引装置１は、表示操作部２、カードリードライト部３、通帳取扱部４、現金入出金部５等を備えている。
【００１４】
表示操作部２は自動取引装置１正面の接客面に露出させて設けられており、表示面を上に向けたＣＲＴディスプレイまたは液晶ディスプレイ等による表示部と、表示部上に配置したタッチパネルによる操作部とが用いられ、顧客の操作を誘導するメッセージを配した画面や各種の入力キーを表示し、その入力キーをタッチパネル上から指で押下することにより、入力キーに定義された情報を入力できる他、入力された情報の表示等も行うようになっている。
【００１５】
カードリードライト部３は、顧客の取引カードに設けられた磁気ストライプに対してデータの読取及び書込みを行う機能を有し、そのカード挿入返却口は前記接客面に設けられている。
【００１６】
通帳取扱部４は、挿入された顧客の通帳の磁気ストライプに記録されている通帳情報を読み書きする機能を有すると共に取引内容等を顧客の通帳に記帳する機能を有し、通帳挿入返却口は前記接客面に設けられている。
【００１７】
現金入出金部５は、取引に伴う現金の入出金処理を行うもので、紙幣を扱う紙幣取扱部と硬貨を扱う硬貨取扱部により構成され、図１に示すようにその紙幣入出金口５ａと硬貨出金口５ｂは前記接客面に設けられている。
【００１８】
図２は紙幣取扱部の概略構成を示す説明図である。
【００１９】
図２において、１０は紙幣入出金部であり、前記紙幣入出金口５ａから投入された紙幣を立位の状態で収容する収納空間を有し、その収容空間の底板１０ａは例えば一部が網目状に形成され、かつ網目状となっている箇所の下方に紙幣と共にクリップやごみ等の異物を集積して保留するための図示しない異物保留部が設けられ、紙幣と共に投入された異物を底板１０ａの網目から異物保留部に落とすことで、異物が後述の搬送路１３内に入り込まないようにしている。
【００２０】
１３は搬送路であり、ベルト対またはローラ対等で紙幣の表裏両面を挟持して搬送する搬送路であって、紙幣入出金部１０から繰出された紙幣を搬送する。また途中に切替ブレードを複数配することで紙幣の搬送方向を切り替える。
【００２１】
１４は紙幣鑑別部であり、紙幣の金種、真偽、正損等を鑑別する。
【００２２】
１５は紙幣収納部であり、予め定められた金種の紙幣を収納する複数の収納庫からなり、各収納庫には紙幣を搬送路１３に繰出すための繰出し手段が設けられている。
【００２３】
１６は紙幣回収部であり、顧客が入金した紙幣の内、循環使用しない金種の紙幣（例えば、２千円や５千円）や出金時にリジェクトされた出金リジェクト紙幣を収納する回収紙幣庫１６ａと、入金取引等の投入紙幣の取込処理時に後述する投入リジェクト紙幣や出金された紙幣を顧客が取り忘れた際の、その取り忘れ紙幣を収納するための取り忘れ紙幣回収庫１６ｂとからなる構成ユニットである。
【００２４】
１７はリジェクト紙幣一時収納部であり、顧客により投入された紙幣の中で金種が鑑別できない等で顧客に返却する投入リジェクト紙幣を一時的に収納する。
【００２５】
２０はシャッタであり、紙幣入出金部１０の上部に配置され、ピックアップローラ２１による紙幣の繰出方向の直交方向に往復移動可能に構成されており、顧客との取引における紙幣の投入時および取出し時に紙幣入出金口５ａを開放し、紙幣の取込処理時等には紙幣入出金口５ａを閉鎖する。
【００２６】
２１はピックアップローラであり、紙幣入出金部１０の側方で、底板１０ａの上方に配置され、紙幣の繰出しが容易なようにその外周面の一部にゴム等の摩擦計数の大きい高摩擦部材が取り付けられており、底板１０ａ上に立位の状態の紙幣を図２に示す搬送路１３側に繰出す。
【００２７】
２２はフィードローラであり、紙幣の繰出方向におけるピックアップローラ２１の下流に配置され、紙幣の繰出しが容易なようにその外周面の一部にピックアップローラ２１と同様の高摩擦部材が取り付けられ、ピックアップローラ２１によって繰出された紙幣をさらに図２に示す搬送路１３へと繰出す。
【００２８】
２３はゲートローラであり、フィードローラ２２に対向配置され、紙幣を紙幣入出金部１０内に搬入する時フィードローラ２２と共に回転し、紙幣の繰出時には回転しない一方向回転機構を備え、紙幣入出金部１０からフィードローラ２２との間に繰出されてきた紙幣を１枚ずつに分離する機能を有する。
【００２９】
この紙幣を１枚ずつ分離する機能は例えば、フィードローラ２２側を外周面の一部には紙幣を搬送するために充分な摩擦力を有する高摩擦部材を備えて円周方向全域にわたるリング状の溝部が２本並設した構成とし、ゲートローラ２３側の外周面の円周方向にリング状の溝部を１本設け、フィードローラ２２の溝部とゲートローラ２３の凸部にかみ合うように配置することで実現される。
【００３０】
上記のピックアップローラ２１、フィードローラ２２、ゲートローラ２３によって紙幣入出金部１０に投入された紙幣を１枚ずつ分離して繰出す分離繰出手段が構成される。
【００３１】
２４は紙幣ガイド部であり、紙幣入出金部１０内の紙幣の面に対向しかつピックアップローラ２１側に配した紙幣の収容空間を構成するための壁であり、紙幣の繰出方向の直交方向に往復移動可能に構成され、底板１０ａに集積する紙幣面とほぼ平行な面であって、かつ集積した紙幣に当接する紙幣当接面２４ａを有する。
【００３２】
また、紙幣ガイド部２４は紙幣当接面２４ａの一部に切り欠き孔２４ｂを設けており、紙幣を繰出す際、当該切り欠き孔２４ｂからピックアップローラ２１の外周が収容空間内に突出する位置まで移動する。
【００３３】
２６はビルプレスであり、紙幣ガイド部２４に対向して配されたくの字状の板状部材であって紙幣ガイド部２４と対向して紙幣の収容空間を構成するための壁であり、図示しない駆動機構によって紙幣の繰出方向の直交方向に往復移動可能に構成され、紙幣を繰出す際には紙幣ガイド部２５と共にピックアップローラ２１側へと移動し、ピックアップローラ２１に紙幣を押圧する機能を有する。
【００３４】
２８は集積舌片ローラであり、複数の舌片を有する舌片車であって、出金処理で顧客に払出す紙幣や、入金処理における投入リジェクト紙幣が搬送路１３によって紙幣入出金部１０へと搬送されてきた際に、その出金紙幣や投入リジェクト紙幣の後端を叩き、その後端を紙幣ガイド部２４側へ移動させている。
【００３５】
ここで、図３はビルプレスを示す説明図であり、（ａ）は斜視図、（ｂ）は側面図を示している。
【００３６】
図３において、３０はスライドピンであり、ビルプレス２６の長手方向の両端に、各端部に２個ずつで、かつビルプレス２６の移動方向に沿うように並べて設けられたピンであり、図示しない紙幣入出金部１０のフレームに設けられた後述するスライド溝に嵌まって支持される。
【００３７】
３１は検出プレートであり、ビルプレス２６の下端に設けられている。
【００３８】
なお、図３（ａ）において、３３はコの字状でその開口を上方に向けた光学式等のポジションセンサであり、ビルプレス２６の移動経路上に配置され、ビルプレス２６が移動してその検出プレート３１によって遮られることで、ビルプレス２６の位置を検知する。
【００３９】
図３（ｂ）において、２６ａは上述したビルプレス２６の中央部から下部にかけて形成された支持面であり、２６ｂは上部から中央部にかけて形成された傾斜面である。
【００４０】
ここで図４はフレームに設けた移動ガイドを示す説明図である。
【００４１】
図４において、３５はスライド溝であり、上述したように図示しない紙幣入出金部１０のフレームの、ビルプレス２６の側方に形成され、上記のスライドピン３０がスライド可能に嵌まる溝であり、そこにスライドピン３０が嵌まることで、ビルプレス２６を支持して移動を案内する。
【００４２】
また、スライド溝３５は、ビルプレス２６が移動するために底板１０ａと平行に形成されているが、集積舌片ローラ２８の上方が一段高い段差となっており、集積舌片ローラ２８の近傍から一段高い段差に向かって傾斜する曲折部（回動手段）３５ａが形成されている。
【００４３】
曲折部３５ａの傾きは、ビルプレス２６が集積舌片ローラ２８側に移動して集積舌片ローラ２８のスライドピン３０が入り込んだ時にビルプレス２６の支持面２６ａが紙幣面と平行な状態から集積舌片ローラ２８側に傾斜し、かつ傾斜面２６ｂが紙幣ガイド部２４に対向した状態へとビルプレス２６を傾かせるように、その傾斜角が定められている。
【００４４】
ここで、図５は移動するビルプレスの様子を示す説明図である。
【００４５】
ビルプレス２６はそのスライドピン３０がスライド溝３５に嵌まっているので、スライド溝３５に沿って移動して集積舌片ローラ２８側に移動することで集積舌片ローラ２８に近い側のスライドピン３０が曲折部３５ａに入り込んだとき、図５に示すように支持面２６ａが集積舌片ローラ２８側に傾斜し、傾斜面２６ｂが紙幣ガイド部２４とほぼ平行に対向した状態となるようにビルプレス２６が回動する。
【００４６】
上述した構成の作用について説明する。
【００４７】
尚、以下に説明する各部の動作は、図示しない記憶部に格納されたプログラム（ソフトウェア）に基づいて図示しない制御部により制御されるものとする。
【００４８】
入金取引を行う場合、紙幣入出金口５ａの下方で、紙幣ガイド部２４とビルプレス２６とを紙幣入出金口５ａの開口よりも狭く、かつ顧客の手が入る程度の幅で紙幣の収容空間を構成するように所定の間隔離間させて配置する。
【００４９】
そしてシャッタ２０の開動作により紙幣入出金口５ａを開放することで、顧客が紙幣入出金口５ａから紙幣を投入する。
【００５０】
図示しないセンサが最後に紙幣を投入する顧客の手を検知してから所定時間経過後、シャッタ２０が閉作動する。
【００５１】
ここで、図６は紙幣の繰出動作を行う紙幣入出金部を示す説明図である。
【００５２】
シャッタ２０が閉じた後、収納された紙幣の分離、繰出動作を行うために、ビルプレス２６を紙幣ガイド部２４側へ移動させ、紙幣ガイド部２４とビルプレス２６とによって収容空間内の紙幣を立位の状態で挟持し、そのまま紙幣ガイド部２５とビルプレス２６とをピックアップローラ２１側へと移動させることで、図６に示すようにピックアップローラ２１が紙幣ガイド部２４の切り欠き孔２４ｂから収容空間内に突出し、立位の状態で収容されている紙幣に当接する。
【００５３】
図７は紙幣を繰出している様子を示す説明図である。
【００５４】
ピックアップローラ２１及びフィードローラ２２が紙幣の繰出し方向に回転、つまり図７に示す矢印Ａ方向に回転することで、ピックアップローラ２１に当接している紙幣がフィードローラ２２とゲートローラ２３との間に繰出され、フィードローラ２２とゲードローラ２３との間で紙幣が１枚づつ分離し、上述した搬送路１３に繰出されて紙幣鑑別部１４で紙幣の鑑別を行い、その鑑別結果に応じて紙幣を紙幣収納部１５の各収納庫に収納し、入金処理を行う。
【００５５】
ここで、図８は顧客に払出す紙幣を集積する際の紙幣入出金部を示す説明図である。
【００５６】
なお、投入リジェクト紙幣が発生した場合は、その投入リジェクト紙幣を一時的にリジェクト紙幣一時収納部１７に収納しておき、全ての投入紙幣を繰出した後、図８に示すようにビルプレス２６を集積舌片ローラ２８の上方へ移動させて、紙幣ガイド部２４を集積舌片ローラ２８側に移動させ、ビルプレス２６から所定の間隔を持って離れた場所に位置させる。
【００５７】
このとき、集積舌片ローラ２８の上方まで移動したビルプレス２６が傾斜した状態となるので、支持面２６ａが紙幣面に対して平行な状態から集積舌片ローラ２８側に傾いた状態となる。
【００５８】
そして、集積舌片ローラ２８を図８に示す矢印Ｂ方向に回転させると共に、リジェクト紙幣一時収納部１７から投入リジェクト紙幣を搬送路１３によって紙幣入出金部１０へと搬送する。
【００５９】
このようにして搬送されてきた投入リジェクト紙幣は、図８に示す矢印Ｃ方向に紙幣入出金部１０に進入する。
【００６０】
図９は顧客に払出す紙幣を集積している様子を示す説明図、図１０は顧客に紙幣を払出すためにシャッタを開放した様子を示す説明図である。
【００６１】
紙幣入出金部１０に進入してくる投入リジェクト紙幣は、図９に示すようにビルプレス２６の支持面２６ａに沿うようにして紙幣入出金部１０内に進入していき、集積舌片ローラ２８によって紙幣ガイド部２４側へと叩かれて紙幣ガイド部２４に沿って集積していく。
【００６２】
全ての投入リジェクト紙幣を集積した後は、ビルプレス２６を紙幣ガイド部２４側に移動させ、投入リジェクト紙幣に当接させる。次に紙幣ガイド部２４とビルプレス２６をピックアップローラ２１側に移動させることで、シャッタ２０を開放したときに顧客が投入リジェクト紙幣を取り易い場所まで投入リジェクト紙幣を移動させた後、図１０に示すようにシャッタ２０を開放して顧客に投入リジェクト紙幣を返却する。
【００６３】
このとき、予めビルプレス２６の停止位置を定めており、その停止位置までビルプレス２６を移動させると共に、それに応じて紙幣ガイド部２４も移動させる。
【００６４】
次に出金処理を行う場合について説明する。
【００６５】
出金処理を行う場合、ビルプレス２６を集積舌片ローラ２８の上方へ移動させて、紙幣ガイド部２４を集積舌片ローラ２８側に移動させてビルプレス２６から所定の間隔で離れた場所に位置させる。
【００６６】
このとき、集積舌片ローラ２８の上方まで移動したビルプレス２６が傾斜した状態となるので、支持面２６ａが紙幣面に対して平行な状態から集積舌片ローラ２８側に傾いた状態となる。
【００６７】
そして、集積舌片ローラ２８を図８に示す矢印Ｂ方向に回転させると共に、紙幣収納部１５から出金する紙幣を繰出して搬送路１３によって当該紙幣を紙幣入出金部１０へと搬送していき、このようにして搬送されてきた紙幣は、図８に示す矢印Ｃ方向に紙幣入出金部１０に進入する。
【００６８】
紙幣入出金部１０に進入してくる紙幣は、図９に示すようにビルプレス２６の支持面２６ａに沿うようにして紙幣入出金部１０内に進入していき、集積舌片ローラ２８によって紙幣ガイド部２４側へと叩かれて紙幣ガイド部２４に沿って集積していく。
【００６９】
全ての紙幣を集積した後は、ビルプレス２６を紙幣ガイド部２４側に移動させ、紙幣に当接させる。次に紙幣ガイド部２４とビルプレス２６をピックアップローラ２１側に移動させることで、シャッタ２０を開放したときに顧客が紙幣を取り易い場所まで紙幣を移動させた後、シャッタを開放して顧客に紙幣を出金する。
【００７０】
以上説明したように、本実施例では、集積舌片ローラの上方に移動したビルプレスの支持面を集積舌片ローラ側に傾けるようにし、顧客に払出す紙幣を紙幣入出金部に搬送する際に、集積舌片ローラの上方に移動したビルプレスの支持面に沿うように紙幣が紙幣入出金部内に進入して紙幣ガイド部に沿って立位の状態で集積させ、その集積した紙幣をビルプレスと紙幣ガイド部とで挟持して顧客に払出すので、顧客に払出す紙幣がその集積時に倒れてしまうのを防止でき、安定して紙幣を集積させることができる。
【００７１】
また、従来のように２つのビルプレスの一方やそのビルプレスの可倒機構、リジェクトビルストッパの退避機構等を設ける必要が無く、それらを削減して簡素な機構とすることができるので、部品点数が減り製作コストを低減できる。
【実施例２】
【００７２】
本実施例では、紙幣入出金部の底板の一部を紙幣上昇部とし、さらにスライド溝の一部の上端を広げた逃げ部を設けた点が上記実施例１と相違する。
【００７３】
図１１は実施例２の紙幣上昇部を示す斜視図である。
【００７４】
図１１において、４０は紙幣上昇部であり、取付板４１に複数の紙幣支持部４２を固定し、さらに図示しない昇降機構によって昇降可能に構成され、通常は紙幣支持部４２の上部が底板１０ａと略同一面となるように下降した状態であり、顧客に紙幣を払出す際に上昇するように動作する。
【００７５】
紙幣支持部４２は、側方から見た形状、つまり図１１に示す矢印イ方向から見た形状が上下向きを逆さにしたＬ字形状であり、かつ正面から見たときに取付板４１と平行面で、またネジ穴が設けられた固定面４２ａを有する。よって固定面４２ａと取付板４１とを重ねてネジを締めることで紙幣支持部４２が取付板４１に固定される。
【００７６】
紙幣支持部４２は、その固定面４２ａをネジ留めによって取付板４１に固定され、かつ取付板４１の長手方向に沿って複数個取付けられている。
【００７７】
なお、紙幣ガイド部２４とビルプレス２６には、上昇する紙幣上昇部４０と接触するのを防止する切り欠きが設けられているものとする。
【００７８】
図１２は実施例２のスライド溝の形状を示す説明図である。
【００７９】
図１２において、３５ｂは逃げ部であり、シャッタ２０を開放して顧客に紙幣を払い出すときのビルプレス２６の集積舌片ローラ２８側のスライドピン３０が停止した位置に、その集積舌片ローラ２８側のスライドピン３０が底板１０ａ側から逃げることができるように上部の幅を一部広げるようにして形成される。
【００８０】
また、本実施例では紙幣を払出すときに、集積舌片ローラ２８側のスライドピン３０が逃げ部３５ｂ内へ入り込むようにビルプレス２６を押圧して回動させる図示しない押圧手段が設けられているものとし、その押圧手段は例えばソレノイドであって、そのソレノイドを紙幣に触れない位置で、かつビルプレス２６と紙幣ガイド部２４の間等に配し、紙幣を払出す際のポジションにビルプレス２６が移動して停止したとき、ソレノイドを通電して内部のプランジャを伸ばし、支持面２６ａを押圧する等により、実現される。
【００８１】
上述した構成における、出金処理で顧客に払出す紙幣を紙幣入出金部に集積した後の動作について説明する。
【００８２】
なお、紙幣入出金部１０に紙幣を搬送して集積するまでの動作は上記実施例１と同様であり、全ての紙幣を集積した後は、ビルプレス２６を紙幣ガイド部２４側に移動させて紙幣に当接させ、紙幣ガイド部２４とビルプレス２６を共にピックアップローラ２１側へ移動させる。
【００８３】
ここで、図１３は実施例２の紙幣を払出す紙幣入出金部を示す説明図である。
【００８４】
そして、紙幣を払出すときのポジションでビルプレス２６を停止させ、それに合わせて紙幣ガイド部２４を停止させた後、シャッタ２０を開放したときに顧客が紙幣を取り易い場所まで紙幣を移動させた後、紙幣上昇部４０を上昇させながら、ビルプレス２６を図１２に示す集積舌片ローラ２８側のスライドピン３０が逃げ部３５ｂ内へ入り込むように角度αで回動させることで、図１３に示すように傾斜面２６ｂが紙幣ガイド部２４と対向させてシャッタ２０を開放する。
【００８５】
そのため、紙幣上昇部４０により集積した紙幣が持ち上がると、紙幣と紙幣ガイド部２４またはビルプレス２６との接触面積が少なくなってしまうが、同時にビルプレス２６が回動することで、ビルプレス２６の傾斜面２６ｂが新たに紙幣面に対して略平行になるので、紙幣が上昇に伴って立位の状態が崩れてビルプレス２６側に傾いてしまうのを押さえることができる。
【００８６】
以上説明したように、本実施例では上記実施例１の効果に加え、紙幣上昇部によって紙幣を上昇させるので、目線の低い顧客、例えば車椅子に乗っている顧客が自動取引装置等の紙幣入出金機を利用し、出金で払い出す紙幣や入金で返却される投入リジェクト紙幣等の紙幣を顧客がより視認しやすくなって取り忘れを防止することができるという効果が得られる。
【符号の説明】
【００８７】
１    自動取引装置
２    表示操作部
３    カードリードライト部
４    通帳取扱部
５    現金入出金部
５ａ  紙幣入出金口
５ｂ  硬貨出金口
１０  紙幣入出金部
１０ａ  底板
１３  搬送路
１４  紙幣鑑別部
１５  紙幣収納部
１６  紙幣回収部
１６ａ  回収紙幣庫
１６ｂ  取り忘れ紙幣回収庫
１７  リジェクト紙幣一時収納部
２０  シャッタ
２１  ピックアップローラ
２２  フィードローラ
２３  ゲートローラ
２４  紙幣ガイド部
２４ａ  紙幣当接面
２４ｂ  切り欠き孔
２６  ビルプレス
２６ａ  支持面
２６ｂ  傾斜面
２８  集積舌片ローラ
３０  スライドピン
３１  検出プレート
３３  ポジションセンサ
３５  スライド溝
３５ａ  曲折部
４０  紙幣上昇部
４１  取付板
４２  紙幣支持部
４２ａ  固定面
３５ｂ  逃げ部
【図１】
0005564915.tif 000002
【図２】
0005564915.tif 000003
【図３】
0005564915.tif 000004
【図４】
0005564915.tif 000005
【図５】
0005564915.tif 000006
【図６】
0005564915.tif 000007
【図７】
0005564915.tif 000008
【図８】
0005564915.tif 000009
【図９】
0005564915.tif 000010
【図１０】
0005564915.tif 000011
【図１１】
0005564915.tif 000012
【図１２】
0005564915.tif 000013
【図１３】
0005564915.tif 000014